(57)【要約】  【課題】  ヒューズ装着用ハウジングにミニヒューズと低背ヒューズとを選択的に装着できる構造とする。  【解決手段】  電気接続箱の本体部に設けたヒューズ装着用ハウジング１０のキャビテイには、第一ヒューズ２０および第二ヒューズ３０の幅狭な左右両側端面２３ｄ、３３ｃと対向する内壁にそれぞれ共用位置決め部を設け、該共用位置決め部は上面に互いに近接する方向に下方傾斜するテーパ面１６ａを備えた一対の係止リブ１６ａからなり、第一ヒューズ２０の本体部２３の上部左右両側から突設した段部２３ａの下面２３ｂを係止リブ１６のテーパ面１６ａに係止して第一ヒューズ２０を位置決め保持する一方、第二ヒューズ３０の本体部３３の下端縁を係止リブ１６のテーパ面１６ａに係止して第二ヒューズ３０を位置決め保持できる構成としている。  【選択図】  図１
2005353322.tif 000002
【特許請求の範囲】
【請求項１】
溶断部を埋設している樹脂製の本体部の上部左右両側に突設した段部から前記溶断部の両端に連続させた入力端子部と出力端子部を突出させている上下寸法が小さい第一ヒューズと、前記本体部の下端面から入力端子部と出力端子部を突出させている上下寸法が大きい第二ヒューズとを選択的に装着できる構成としており、
前記電気接続箱の本体部に設けたヒューズ装着用ハウジングのキャビテイには、前記第一ヒューズおよび第二ヒューズの幅狭な左右両側端面と対向する内壁にそれぞれ共用位置決め部を設け、該共用位置決め部は上面に互いに近接する方向に下方傾斜するテーパ面を備えた一対の係止リブからなり、
前記第一ヒューズの前記本体部の上部左右両側から突設した段部の下面を前記係止リブのテーパ面に係止して第一ヒューズを位置決め保持する一方、
前記第二ヒューズの本体部の下端縁を前記係止リブのテーパ面に係止して第二ヒューズを位置決め保持できる構成としていることを特徴とする電気接続箱のヒューズ装着構造。
【発明の詳細な説明】
【技術分野】
【０００１】
本発明は、自動車に搭載されるジャンクションボックス、ヒューズボックス等の電気接続箱のヒューズ装着構造に関し、上下寸法が相違するヒューズを選択的に装着可能とするものである。
【背景技術】
【０００２】
従来、自動車に搭載される電気接続箱には、多数のヒューズが搭載されており、該ヒューズは、入力端子部と出力端子部との間に溶断部を備えたヒューズエレメントを絶縁樹脂製の本体部に組み付け、入出力端子部を本体部の下端面から突出させている。
近時、ヒューズの小型化を図るため、入出力端子部を本体部の下端面から突出させずに、本体部の左右両側から突出させて、本体部の左右両側に平行配置することにより上下寸法を小さくした、所謂、低背ヒューズが提供されている。
【０００３】
前記上下寸法を小さくした低背ヒューズを装着するヒューズ装着用ハウジングを本出願人は特開２００２−３１３２１２号等で提供している。
前記ヒューズ装着用ハウジング１は、４方を側壁２で囲まれたキャビテイ３内に内部回路のバスバーを屈折させて設けた圧接タブ４を突出させており、該キャビテイ内に本体部５の両側に入力端子部６と出力端子部７を突出した低背ヒューズ８を挿入し、入出力端子部６、７に圧接タブ４を圧接している。
【０００４】
しかしながら、特開２００２−３１３２１２号等で提供しているヒューズ装着用ハウジングは、低背ヒューズは装着できるものの、従来から汎用されている本体部の下端面から入出力端子を突出させたヒューズ（ミニヒューズ）を装着することができない。
即ち、ヒューズハウンジングに設けるヒューズ係止部は、ヒューズの本体部に係止して位置決め保持する構成とされているが、低背ヒューズとミニヒューズとでは入出力端子に対する本体部の位置が相違するため、共用化出来ない等の理由に因る。
【０００５】
前記低背ヒューズは現状において広く汎用されていないと共に、ヒューズ用途に応じた使い分けが必要であり、かつ、ヒューズ装着部を有する電気接続箱を低背ヒューズ用とミニヒューズ用にそれぞれ用意するには非常にコストがかかる点から、ミニヒューズと低背ヒューズを選択的に装着できるヒューズ装着構造とすることが要望されている。
【特許文献１】特開２００２−３１３２１２号公報
【発明の開示】
【発明が解決しようとする課題】
【０００６】
本発明は前記問題に鑑みてなされたものであり、前記ミニヒューズと低背ヒューズとを選択的に装着できる構造とすることを課題としている。
【課題を解決するための手段】
【０００７】
前記課題を解決するため、本発明は、溶断部を埋設している樹脂製の本体部の上部左右両側に突設した段部から前記溶断部の両端に連続させた入力端子部と出力端子部を突出させている上下寸法が小さい第一ヒューズと、前記本体部の下端面から入力端子部と出力端子部を突出させている上下寸法が大きい第二ヒューズとを選択的に装着できる構成としており、
前記電気接続箱の本体部に設けたヒューズ装着用ハウジングのキャビテイには、前記第一ヒューズおよび第二ヒューズの幅狭な左右両側端面と対向する内壁にそれぞれ共用位置決め部を設け、該共用位置決め部は上面に互いに近接する方向に下方傾斜するテーパ面を備えた一対の係止リブからなり、
前記第一ヒューズの前記本体部の上部左右両側から突設した段部の下面を前記係止リブのテーパ面に係止して第一ヒューズを位置決め保持する一方、
前記第二ヒューズの本体部の下端縁を前記係止リブのテーパ面に係止して第二ヒューズを位置決め保持できる構成としていることを特徴とする電気接続箱のヒューズ装着構造を提供している。
【０００８】
即ち、前記係止リブの上面にテーパ角度を、第一ヒューズの入出力端子が突出する段部の下面の一部に当接できると共に、第二ヒューズの入出力端子が突出する本体部の下面の一部に当接できる角度に設定していることにより、上下寸法が相違する第一ヒューズと第二ヒューズとを位置決め保持できる構造としている。
其の際、第一ヒューズおよび第二ヒューズとも本体部の左右両側が前記係止リブのテーパ面により位置決め保持されるため、安定してヒューズ装着部に固定されると共に、入出力端子の突出面を同一位置で位置決め保持しているため、入出力端子の高さ位置を同一位置に保持でき、ヒューズ装着部内に下方から突出されるタブとも同一位置で嵌合することができる。
【０００９】
前記のように、テーパ面を有する係止リブを突設させるだけで、同一のヒューズ装着部に、上下寸法が小さい第一ヒューズ（低背ヒューズ）と、上下寸法が大きい第二ヒューズ（ミニヒューズ）のいずれも位置決め保持して装着できる。よって、低背ヒューズ専用のヒューズ装着部とミニヒューズ専用のヒューズ装着部を設ける必要はない。
なお、係止リブのテーパ面の角度は、装着するヒューズを所定の高さ位置に位置決めできるように、ヒューズの本体部の形状や端子形状から決定される。
【発明の効果】
【００１０】
前述したように、本発明によれば、キャビテイ内に設けた共用位置決め部により、キャビテイ内に挿入する第一ヒューズもしくは第二ヒューズの入出力端子部がキャビテイ内に突出するタブと接続できる所定の高さで第一ヒューズもしくは第二ヒューズが位置決めされるため、１つのヒューズ装着用ハウジングに上下寸法の相違する第一ヒューズと第二ヒューズのいずれも挿入して装着することができる。よって、第一ヒューズと第二ヒューズにそれぞれ専用のヒューズ装着部を設ける必要がない。
また、第一ヒューズと第二ヒューズを同一の位置決め部により位置決めしており、各ヒューズの形状に合わせた係止リブをそれぞれ設ける必要がないため、キャビテイ内の形状を簡単にすることができる。
【発明を実施するための最良の形態】
【００１１】
本発明の実施形態を図面を参照して説明する。
図１乃至図３は、本発明の実施形態を示し、自動車に搭載する電気接続箱の本体部のケース外面に設けたヒューズ装着用ハウジング１０は、上下寸法の相違する第一ヒューズ（低背ヒューズ）２０と第二ヒューズ（ミニヒューズ）３０のいずれも選択的に装着可能とするものである。
【００１２】
ヒューズ装着用ハウジング１０は、図１に示すように、一対の水平断面コ字状の左右側壁１１をケース上壁１２からケース内に向けて所定の間隔をあけて突設しており、これら左右側壁１１の前後両側には、左右側壁１１を連結する前後側壁１２を設けている。
これら左右側壁１１と前後側壁１２とで囲まれたキャビテイＳの底面中央に底壁１３を設け、該底壁１３と左右側壁１１との間には、前後方向に幅広のタブ孔１４を設け、該タブ孔１４にケース内に収容したバスバー（図示せず）の先端を上方に屈折させ、先端から圧接スロットを切り欠いて設けた圧接タブ１７を貫通させている。また、ヒューズ装着用ハウジング１０の左右方向、即ち、タブ孔１４と直交する方向に幅広の端子孔１５を設けており、該端子孔１５には第一ヒューズ２０と第二ヒューズ３０の入出力端子部２１、２２、３１、３２の先端部が挿入される。
【００１３】
前記キャビテイＳには、第一ヒューズ２０と第二ヒューズ３０の幅狭な左右両側端面２３ｄ、３３ｃと対向する内壁１１ａに、前記端子孔１５を前後に挟む一対の係止リブ１６を設けている。係止リブ１６は上下方向に延在し、その先端面を、図１（Ｃ）に示すように、互いに近接する方向に緩やかに下方傾斜するテーパ面１６ａとしている。これら係止リブ１６を第一ヒューズ２０と第二ヒューズ３０を所定の高さで支持する共用位置決め部としている。
【００１４】
前記第一ヒューズ２０は、図２（Ａ）に示すように、入力端子部２１と出力端子部２２の間に連続させて設けた溶断部（図示せず）を備えたヒューズエレメントを樹脂製の本体部２３内に組み付けており、該本体部２３の上部左右両側に突設した段部２３ａから入出力端子部２１、２２を突出させた上下寸法が小さい低背ヒューズとしている。段部２３ａの下面２３ｂは、図２（Ｂ）に示すように、傾斜面とせずに水平面としている。なお、入出力端子部２１、２２の先端は、本体部２３の底面２３ｃよりも若干下方に突出させている。
【００１５】
一方、第二ヒューズ３０は、図３に示すように、入力端子部３１と出力端子部３２の間に連続させて設けた溶断部（図示せず）を備えたヒューズエレメントを樹脂製の本体部３３内に組み付けており、該本体部３３の下端面３３ａから入出力端子部３１、３２を下方に突出させた上下寸法が大きいミニヒューズとしている。本体部３３の下端面３３ａの４隅には、前後方向に傾斜するテーパ面３３ｂを設けている。該テーパ面３３ｂは、ヒューズ装着用ハウジング１０の係止リブ１６の先端面に設けたテーパ面１６ａよりも急傾斜としている。
また、入出力端子部３１、３２の間隔は、前記第一ヒューズ２０の入出力端子部２１、２２の間隔と同等としている。
【００１６】
前記ヒューズ装着用ハウジング１０に第一ヒューズ２０を挿入すると、図２（Ｂ）に示すように、ヒューズ装着用ハウジング１０に設けた係止リブ１６の先端のテーパ面１６ａに第一ヒューズ２０の段部２３ａの下面２３ｂの前後両端縁が当接して第一ヒューズ２０がそれ以上挿入されることなく位置決めされる。このとき、第一ヒューズ２０の入出力端子部２１、２２がヒューズ装着用ハウジング１０のタブ孔１４を貫通させてヒューズ装着用ハウジング１０内に突出させた圧接タブ１７に圧接されて、第一ヒューズ２０の入出力端子部２１、２２が電気接続箱の内部回路と接続される。また、第一ヒューズ２０はリブ１６のテーパ面１６ａによってのみ支持されて位置決めされており、第一ヒューズ２０の底面はヒューズ装着用ハウジング１０内に設けた底壁１３の上端面と当接していない。
【００１７】
一方、ヒューズ装着用ハウジング１０に第二ヒューズ３０を挿入すると、図３に示すように、ヒューズ装着用ハウジング１０に設けた係止リブ１６の先端のテーパ面１６ａに第二ヒューズ３０の底面側に設けたテーパ面３３ｂの下端縁が当接して第二ヒューズ３０がそれ以上挿入されることなく位置決めされる。このとき、第二ヒューズ３０の入出力端子部３１、３２がヒューズ装着用ハウジング１０内に突出させた圧接タブ１７に圧接されて、第二ヒューズ３０の入出力端子部３１、３２が電気接続箱の内部回路と接続される。また、第二ヒューズ３０のテーパ面３３ｂをリブ１６のテーパ面１６ａよりも急傾斜としているため、テーパ面３３ｂの下端縁のみが係止リブ１６のテーパ面１６ａに当接し、テーパ面１６ａと３３ｂは面接触されない。
【００１８】
前記構成によれば、ヒューズ装着用ハウジング１０に第一ヒューズ２０、第二ヒューズ３０のいずれを挿入しても、ヒューズ装着用ハウジング１０内に設けたリブ１６の先端のテーパ面１６ａに第一、第二ヒューズ２０、３０の本体部２３、３３が当接されて、第一ヒューズ２０、第二ヒューズ３０が所定位置に位置決めされて、入出力端子部２１、２２、３１，３２を内部回路と接続することができる。よって、ヒューズ装着用ハウジング１０に第一ヒューズ２０と第二ヒューズ３０のいずれも選択的に装着することができ、第一ヒューズ２０と第二ヒューズ３０の専用のヒューズ装着用ハウジングを設ける必要がない。
【図面の簡単な説明】
【００１９】
【図１】本発明の実施形態のヒューズ装着用ハウジングを示し、（Ａ）は平面図、（Ｂ）はＡ−Ａ線断面図、（Ｃ）はＢ−Ｂ線断面図である。
【図２】ヒューズ装着用ハウジングに第一ヒューズを装着した状態を示し、（Ａ）はＡ−Ａ線断面図、（Ｂ）はＢ−Ｂ線断面図である。
【図３】ヒューズ装着用ハウジングに第二ヒューズを装着した状態を示す断面図である。
【図４】従来例を示す図面である。
【符号の説明】
【００２０】
１０  ヒューズ装着用ハウジング
１６  リブ
１６ａ  テーパ面
２０  第一ヒューズ
２３ｂ  段部の下面
３０  第二ヒューズ
３３ｂ  テーパ面
【図１】
2005353322.tif 000003
【図２】
2005353322.tif 000004
【図３】
2005353322.tif 000005
【図４】
2005353322.tif 000006